(57)【要約】      （修正有） 【課題】扇状シート部材を最上層から下層に向けて開閉状態が斬新な形態で前記扇状シート部材の広告表示効果を高めた扇子状広告媒体を提供する。【解決手段】３枚以上の扇状シート部材１１、・・１６は、回動軸をほぼ中心とする円弧からなる外縁２を備え、最上層扇状シート１１が最大半径かつ最小中心角を有するものであり、かつ、下層に向かうに従って、扇状シートは半径が漸減し、かつ、中心角が徐々に大きくなるものであり、さらに、最上層扇状シート部材１１  を除く各扇状シート部材は、前記回動軸をほぼ中心とする円弧状スリット３２、・・３６を備え、最下層扇状シート部材１６を除く各扇状シート部材は、前記外縁の一端側より延出し裏面側に折り曲げられ下層の扇状シート部材の前記円弧状スリット内に侵入した連結部４１、・・４５を備え、接触する各扇状シート部材は、前記外縁側にて前記連結部により連結されている扇子状広告媒体。【選択図】図４
0003136379.tif 000002
【実用新案登録請求の範囲】
【請求項１】
表面に広告を表示可能な薄板状材料により形成された３枚以上の扇状シート部材と、前記３枚以上の扇状シート部材を積層状態かつ該扇状シート部材の基端部にて回動可能に軸支する軸部材とを備える扇子状広告媒体であって、
前記３枚以上の扇状シート部材は、前記軸部材により形成される回動軸をほぼ中心とする円弧からなる外縁を備え、さらに、前記３枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、
かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であることを特徴とする扇子状広告媒体。
【請求項２】
前記扇子状広告媒体は、前記閉じた状態において、各扇状シート部材の一方の側辺により形成される螺旋階段状側部を備える請求項１記載の扇子状広告媒体。
【請求項３】
前記最上層扇状シートは、最小中心角を有し、下層に向かうに従って、前記扇状シートは、中心角が徐々に大きくなるものである請求項１または２に記載の扇子状広告媒体。
【請求項４】
前記扇子状広告媒体は、前記閉じた状態において、各扇状シート部材の他方の側辺は、ほぼ揃った状態となっている請求項１ないし３のいずれかに記載の扇子状広告媒体。
【請求項５】
前記扇子状広告媒体は、前記扇状シート部材を５枚以上備えている請求項１ないし４のいずれかに記載の扇子状広告媒体。
【請求項６】
前記扇状シート部材は、下層に向かうに従って、扇状シートは半径が順次ほぼ所定長さずつ小さいものとなるとともに、順次ほぼ所定角度ずつ中心角が大きくなるものである請求項１ないし５のいずれかに記載の扇子状広告媒体。
【請求項７】
すべての前記円弧状スリットは、前記回動軸をほぼ中心とする同一円上に実質的に位置し、前記円弧状スリットの前記扇状シート部材の外縁からの離間距離は、前記扇状シート部材が下層となるに従って、漸減するものである請求項１ないし６のいずれかに記載の扇子状広告媒体。
【請求項８】
最下層扇状シート部材を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている請求項１ないし７のいずれかに記載の扇子状広告媒体。
【請求項９】
最上層扇状シート部材を除く各扇状シート部材に設けられた前記円弧状スリットは、下層に向かうに従って前記連結部の幅にほぼ相当する分ずつ長く設けられる請求項８に記載の扇子状広告媒体。
【請求項１０】
最下層扇状シート部材を除く各扇状シート部材に設けられた前記連結部は、ほぼ同じ幅を備え、 最上層扇状シート部材を除く各扇状シート部材に設けられた円弧状スリットの他端と該扇状シート部材の他方の側辺間の距離は、前記連結部の幅とほぼ同じものとなっており、前記連結部は、前記各扇状シート部材の外縁の一端側に折り目を介して半径方向に延長して帯状に設けられたものであり、該連結部は、前記折り目より折り曲げられて、下層の前記扇状シート部材の裏面側より、前記円弧状スリット内に侵入しているものである請求項１ないし９のいずれかに記載の扇子状広告媒体。
【請求項１１】
前記連結部は、前記各扇状シート部材の外縁の一端側に第１の折り目を介して半径方向に延長して帯状に設けられたものであり、該連結部は、前記第１の折り目より折り曲げられて、下層の前記扇状シート部材の裏面側より、前記円弧状スリット内に侵入しているものであり、さらに、前記連結部は、前記スリット内に侵入する部分に設けられた第２の折り目により曲げられることにより、前記連結部の先端部が、前記下層の扇状シート部材の前記スリット形成部より上部部分を挟むものとなっている請求項１ないし１０のいずれかに記載の扇子状広告媒体。
【請求項１２】
表面に広告を表示可能な薄板状材料により形成された５枚以上の扇状シート部材と、前記５枚以上の扇状シート部材を積層状態かつ該扇状シート部材の基端部にて回動可能に保持する軸部材とを備える扇子状広告媒体であって、
前記５枚以上の扇状シート部材は、前記軸部材により形成される回動軸をほぼ中心とする円弧からなる外縁を備え、さらに、前記５枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、
かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であり、かつ、前記扇子状広告媒体は、前記閉じた状態において、各扇状シート部材の一方の側辺部により形成される螺旋階段状側部を備え、さらに、前記扇子状広告媒体は、前記閉じた状態において、各扇状シート部材の他方の側辺は、ほぼ揃った状態となっていることを特徴とする記載の扇子状広告媒体。
【請求項１３】
表面に広告を表示可能な薄板状材料により形成された４枚以上の扇状シート部材と、前記４枚以上の扇状シート部材を積層状態かつ該扇状シート部材の基端部にて回動可能に保持する軸部材とを備える扇子状広告媒体であって、
前記４枚以上の扇状シート部材は、前記軸部材により形成される回動軸をほぼ中心とする円弧からなる外縁を備え、さらに、前記４枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、
かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であり、かつ、前記扇子状広告媒体は、前記閉じた状態において、各扇状シート部材の一方の側辺部により形成される螺旋階段状側部を備え、さらに、
前記連結部は、前記各扇状シート部材の外縁の一端側に第１の折り目を介して半径方向に延長して帯状に設けられたものであり、該連結部は、前記第１の折り目より折り曲げられて、下層の前記扇状シート部材の裏面側より、前記円弧状スリット内に侵入しているものであり、さらに、前記連結部は、前記スリット内に侵入する部分に設けられた第２の折り目により曲げられることにより、前記連結部の先端部が、前記下層の扇状シート部材の前記スリット形成部より上部部分を挟むものとなっていることを特徴とする扇子状広告媒体。
【請求項１４】
前記最上層扇状シートは、最小中心角を有し、下層に向かうに従って、前記扇状シートは、中心角が徐々に大きくなるものである請求項１２または１３に記載の扇子状広告媒体。
【請求項１５】
前記扇状シート部材は、下層に向かうに従って、扇状シートは半径が順次ほぼ所定長さずつ小さいものとなるとともに、順次ほぼ所定角度ずつ中心角が大きくなるものである請求項１２ないし１４のいずれかに記載の扇子状広告媒体。
【請求項１６】
最下層扇状シート部材を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている請求項１２ないし１５のいずれかに記載の扇子状広告媒体。
【請求項１７】
最上層扇状シート部材を除く各扇状シート部材に設けられた前記円弧状スリットは、下層に向かうに従って前記連結部の幅にほぼ相当する分ずつ長く設けられる請求項１６に記載の扇子状広告媒体。
【請求項１８】
最下層扇状シート部材を除く各扇状シート部材に設けられた前記連結部は、ほぼ同じ幅を備え、 最上層扇状シート部材を除く各扇状シート部材に設けられた円弧状スリットの他端と該扇状シート部材の他方の側辺間の距離は、前記連結部の幅とほぼ同じものとなっている請求項１２ないし１７のいずれかに記載の扇子状広告媒体。
【考案の詳細な説明】
【技術分野】
【０００１】
この考案は、広告等を表示した扇状シート部材を積層状態で開閉する扇子状広告媒体であって、広告効果を高めた扇子状広告媒体に関する。
【背景技術】
【０００２】
従来、折り畳みうちわとして、複数枚のシートを互いに重ね合わせるとともにその基端部を貫通する部材によって該部材周りに前記シートを回動自在に連接し、シートのうち連接し合うものどうしの間を、一方のシートに形成され前記部材周りの回動中心と同心として切開したスリットと、他方のシートに形成され前記スリットの中で相対移動可能な係合舌片とによって連接したものが公開されている（特許文献１参照）。
【０００３】
【特許文献１】特開平７−２２７３１０
【考案の開示】
【考案が解決しようとする課題】
【０００４】
特許文献１の扇子は、折り畳み式うちわでは、各シートを開いたとき、スリットより係合舌片が前面側に露出しているので、体裁が悪く、かつ各シートの前面に広告等を印刷する場合、露出する係合舌片の位置より小さい半径にしか印刷できないという問題がある。
また、特許文献１の折り畳み式うちわでは、シート２のスリット２ａはシート１のスリット１ａが描く円の半径よりも少し小さい径の円上に切開してある。シート３のスリット３ａ、シート５のスリット５ａはシート１ａと同じ半径、シート４のスリット４ａはシート２のスリット２ａと同様にスリット１ａが描く円の半径よりも少し小さい径の円上に切開してある。この構成では、スリットの半径が１枚おきに変わり、それに合わせて係合舌片を切り起こしてスリットに係合するので、製作、組み立てしにくいという問題がある。また、一般に扇子は表裏のシートと内部のシートは全部同じ大きさであり、閉じた時表裏のシートに揃えて折り畳まれるので、閉じたときに広告面等を取りにくい。
【０００５】
この考案は、このような問題点を解消するために、広告等を表示可能な扇状シート部材を最上層から下層に向けて開閉状態を斬新な形態とし、開閉時の前記扇状シート部材の広告表示効果を高め、商品価値を向上できる扇子状広告媒体を提供する。
【課題を解決するための手段】
【０００６】
上記目的を達成するものは、以下のものである。
（１）  表面に広告を表示可能な薄板状材料により形成された３枚以上の扇状シート部材と、前記３枚以上の扇状シート部材を積層状態かつ該扇状シート部材の基端部にて回動可能に軸支する軸部材とを備える扇子状広告媒体であって、前記３枚以上の扇状シート部材は、前記軸部材により形成される回動軸をほぼ中心とする円弧からなる外縁を備え、さらに、前記３枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能である扇子状広告媒体。
【０００７】
（２） 前記扇子状広告媒体は、前記閉じた状態において、各扇状シート部材の一方の側辺部により形成される螺旋階段状側部を備える前記（１）に記載の扇子状広告媒体。
（３） 前記扇子状広告媒体は、前記閉じた状態において、各扇状シート部材の一方の側辺により形成される螺旋階段状側部を備える（１）または（２）に記載の扇子状広告媒体。
（４） 前記扇子状広告媒体は、前記閉じた状態において、各扇状シート部材の他方の側辺は、ほぼ揃った状態となっている前記（１）ないし前記（３）のいずれかに記載の扇子状広告媒体。
（５）  前記扇子状広告媒体は、前記扇状シート部材を５枚以上備えている前記（１）ないし前記（４）のいずれかに記載の扇子状広告媒体。
【０００８】
（６）  前記扇状シート部材は、下層に向かうに従って、扇状シートは半径が順次ほぼ所定長さずつ小さいものとなるとともに、順次ほぼ所定角度ずつ中心角が大きくなるものである前記（１）ないし前記（５）のいずれかに記載の扇子状広告媒体。
（７）  すべての前記円弧状スリットは、前記回動軸をほぼ中心とする同一円上に実質的に位置し、前記円弧状スリットの前記扇状シート部材の外縁からの離間距離は、前記扇状シート部材が下層となるに従って、漸減するものである前記（１）ないし前記（６）のいずれかに記載の扇子状広告媒体。
【０００９】
（８）  最下層扇状シート部材を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている前記（１）ないし前記（７）のいずれかに記載の扇子状広告媒体。
（９）   最上層扇状シート部材を除く各扇状シート部材に設けられた前記円弧状スリットは、下層に向かうに従って前記連結部の幅にほぼ相当する分ずつ長く設けられる前記（８）に記載の扇子状広告媒体。
（１０）  最下層扇状シート部材を除く各扇状シート部材に設けられた前記連結部は、ほぼ同じ幅を備え、 最上層扇状シート部材を除く各扇状シート部材に設けられた円弧状スリットの他端と該扇状シート部材の他方の側辺間の距離は、前記連結部の幅とほぼ同じものとなっており、前記連結部は、前記各扇状シート部材の外縁の一端側に折り目を介して半径方向に延長して帯状に設けられたものであり、該連結部は、前記折り目より折り曲げられて、下層の前記扇状シート部材の裏面側より、前記円弧状スリット内に侵入しているものである前記（１）ないし前記（９）のいずれかに記載の扇子状広告媒体。
（１１）  前記連結部は、前記各扇状シート部材の外縁の一端側に第１の折り目を介して半径方向に延長して帯状に設けられたものであり、該連結部は、前記第１の折り目より折り曲げられて、下層の前記扇状シート部材の裏面側より、前記円弧状スリット内に侵入しているものであり、さらに、前記連結部は、前記スリット内に侵入する部分に設けられた第２の折り目により曲げられることにより、前記連結部の先端部が、前記下層の扇状シート部材の前記スリット形成部より上部部分を挟むものとなっている前記（１）ないし前記（１０）のいずれかに記載の扇子状広告媒体。
【００１０】
（１２）  表面に広告を表示可能な薄板状材料により形成された５枚以上の扇状シート部材と、前記５枚以上の扇状シート部材を積層状態かつ該扇状シート部材の基端部にて回動可能に保持する軸部材とを備える扇子状広告媒体であって、前記５枚以上の扇状シート部材は、前記軸部材により形成される回動軸をほぼ中心とする円弧からなる外縁を備え、さらに、前記５枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であり、かつ、前記扇子状広告媒体は、前記閉じた状態において、各扇状シート部材の一方の側辺部により形成される螺旋階段状側部を備え、さらに、前記扇子状広告媒体は、前記閉じた状態において、各扇状シート部材の他方の側辺は、ほぼ揃った状態となっていることを特徴とする記載の扇子状広告媒体。
【００１１】
（１３）  表面に広告を表示可能な薄板状材料により形成された４枚以上の扇状シート部材と、前記４枚以上の扇状シート部材を積層状態かつ該扇状シート部材の基端部にて回動可能に保持する軸部材とを備える扇子状広告媒体であって、前記４枚以上の扇状シート部材は、前記軸部材により形成される回動軸をほぼ中心とする円弧からなる外縁を備え、さらに、前記４枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であり、かつ、前記扇子状広告媒体は、前記閉じた状態において、各扇状シート部材の一方の側辺部により形成される螺旋階段状側部を備え、さらに、前記連結部は、前記各扇状シート部材の外縁の一端側に第１の折り目を介して半径方向に延長して帯状に設けられたものであり、該連結部は、前記第１の折り目より折り曲げられて、下層の前記扇状シート部材の裏面側より、前記円弧状スリット内に侵入しているものであり、さらに、前記連結部は、前記スリット内に侵入する部分に設けられた第２の折り目により曲げられることにより、前記連結部の先端部が、前記下層の扇状シート部材の前記スリット形成部より上部部分を挟むものとなっている扇子状広告媒体。
【００１２】
（１４）  前記最上層扇状シートは、最小中心角を有し、下層に向かうに従って、前記扇状シートは、中心角が徐々に大きくなるものである（１２）または（１３）に記載の扇子状広告媒体。
（１５）  前記扇状シート部材は、下層に向かうに従って、扇状シートは半径が順次ほぼ所定長さずつ小さいものとなるとともに、順次ほぼ所定角度ずつ中心角が大きくなるものである前記（１２）ないし前記（１４）に記載の扇子状広告媒体。
（１６）  最下層扇状シート部材を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている前記（１２）ないし前記（１５）のいずれかに記載の扇子状広告媒体。
（１７）  最上層扇状シート部材を除く各扇状シート部材に設けられた前記円弧状スリットは、下層に向かうに従って前記連結部の幅にほぼ相当する分ずつ長く設けられる前記（１６）に記載の扇子状広告媒体。  
（１８）  最下層扇状シート部材を除く各扇状シート部材に設けられた前記連結部は、ほぼ同じ幅を備え、最上層扇状シート部材を除く各扇状シート部材に設けられた円弧状スリットの他端と該扇状シート部材の他方の側辺間の距離は、前記連結部の幅とほぼ同じものとなっている前記（１２）ないし前記（１７）のいずれかに記載の扇子状広告媒体。
【考案の効果】
【００１３】
この考案の扇子状広告媒体によれば、表面に広告を表示可能な薄板状材料により形成された３枚以上の扇状シート部材と、前記３枚以上の扇状シート部材を積層状態かつ該扇状シート部材の基端部にて回動可能に軸支する軸部材とを備える扇子状広告媒体であって、前記３枚以上の扇状シート部材は、前記軸部材により形成される回動軸をほぼ中心とする円弧からなる外縁を備え、さらに、前記３枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であるので、開閉状態が斬新であり、各扇状シート部材の扇面を利用して広告表示が可能である。また、扇状シート部材の前記連結部を下層の前記扇状シート部材のスリットに侵入させてスリットの範囲でスライド可能とし、簡単に組み立てできる。
【００１４】
この考案の扇子状広告媒体によれば、前記扇子状広告媒体は、前記閉じた状態において、各扇状シート部材の一方の側辺により形成される螺旋階段状側部を備える。また、前記閉じた状態において、各扇状シート部材の一方の側辺により形成される螺旋階段状側部を備える。また、前記閉じた状態において、各扇状シート部材の他方の側辺は、ほぼ揃った状態となっている。従って、閉じた状態の扇子の形態が斬新であり、開くときに螺旋階段状側部が掴みやすく、使い勝手が良い。各扇状シート部材の螺旋階段状側部を見出し（インデックス）として使用でき、各扇状シート部材の色彩を変えれば、螺旋階段状側部がカラフルに表れ、広告効果を高めて商品価値を向上できる。
【００１５】
この考案の扇子状広告媒体によれば、前記扇状シート部材は、下層に向かうに従って、扇状シートは半径が順次ほぼ所定長さずつ小さいものとなるとともに、順次ほぼ所定角度ずつ中心角が大きくなる。また、すべての前記円弧状スリットは、前記回動軸をほぼ中心とする同一円上に実質的に位置し、前記円弧状スリットの前記扇状シート部材の外縁からの離間距離は、前記扇状シート部材が下層となるに従って、漸減するものである。また、最下層扇状シート部材を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている。従って、各扇状シート部材の連結部が下層の扇状シート部材の連結部と当接して閉じたとき、一側片を揃えた状態となりかつ他側辺の螺旋階段状側部は同じ幅ずつ露出した状態で止められる。従って、閉じた状態の扇子の形態が斬新であり、開くときに螺旋階段状側部が掴みやすく、使い勝手が良い。そして、螺旋階段状側部を見出し（インデックス）として使用でき、各扇状シート部材の色彩を変えれば、螺旋階段状側部がカラフルに表れ、広告効果を高めて商品価値を向上できる。
【００１６】
この考案の扇子状広告媒体によれば、最下層扇状シート部材を除く各扇状シート部材に設けられた前記連結部は、ほぼ同じ幅を備え、最上層扇状シート部材を除く各扇状シート部材に設けられた円弧状スリットの他端と該扇状シート部材の他方の側辺間の距離は、前記連結部の幅とほぼ同じものとなっており、前記連結部は、前記各扇状シート部材の外縁の一端側に折り目を介して半径方向に延長して帯状に設けられたものであり、該連結部は、前記折り目より折り曲げられて、下層の前記扇状シート部材の裏面側より、前記円弧状スリット内に侵入しているので、簡単に連結でき、複数枚の扇子状シート部材の組み立てが容易である。また、開閉時に各扇状シート部材の連結部が前面側に露出することなく、閉じるとスリットが扇状シート部材で隠されるので体裁が良い。各扇状シート部材連結部がスリットから露出しないので、各扇状シート部材の広告を表示する印刷面を広くとることができる。
【００１７】
この考案の扇子状広告媒体によれば、前記連結部は、前記各扇状シート部材の外縁の一端側に第１の折り目を介して半径方向に延長して帯状に設けられたものであり、該連結部は、前記第１の折り目より折り曲げられて、下層の前記扇状シート部材の裏面側より、前記円弧状スリット内に侵入しているものであり、さらに、前記連結部は、前記スリット内に侵入する部分に設けられた第２の折り目により曲げられることにより、前記連結部の先端部が、前記下層の扇状シート部材の前記スリット形成部より上部部分を挟むものとなっているので、連結部がスリットに確実に差し込こまれ、前記上部部分が挟まれた状態で円滑にスライドでき、外れることがない。
【００１８】
この考案の扇子状広告媒体によれば、表面に広告を表示可能な薄板状材料により形成された５枚以上の扇状シート部材と、前記５枚以上の扇状シート部材を積層状態かつ該扇状シート部材の基端部にて回動可能に保持する軸部材とを備える扇子状広告媒体であって、前記５枚以上の扇状シート部材は、前記軸部材により形成される回動軸をほぼ中心とする円弧からなる外縁を備え、さらに、前記５枚以上の扇状シート部材は、最上層扇状シートが最大半径を有し、下層に向かうに従って、扇状シートは半径が漸減するものであり、そして、最上層扇状シート部材を除く各扇状シート部材は、前記外縁より所定長前記回動軸側に設けられ、かつ、一端が一方の側辺付近に位置し、他端が他方の側辺付近に位置し、前記回動軸をほぼ中心とする円弧状スリットを備え、最下層扇状シート部材を除く各扇状シート部材は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、かつ、接触する各扇状シート部材は、前記連結部が、下層の前記扇状シート部材の前記連結部もしくは前記円弧状スリットの一端に当接する閉じた状態から、前記連結部が、下層の前記扇状シート部材の前記円弧状スリットの他端に当接する状態まで、広がることおよび前記閉じた状態に戻すことが可能であり、かつ、前記扇子状広告媒体は、前記閉じた状態において、各扇状シート部材の一方の側辺部により形成される螺旋階段状側部を備え、さらに、前記扇子状広告媒体は、前記閉じた状態において、各扇状シート部材の他方の側辺は、ほぼ揃った状態となっているので、扇子状広告媒体の開閉構造が斬新であり、各扇状シート部材の扇面を利用して広告表示が可能である。また、扇状シート部材の前記連結部を下層の前記扇状シート部材のスリットに侵入させてスリットの範囲でスライド可能とし、簡単に組み立てできる。開くときには螺旋階段状側部を掴んで開きやすい。各扇状シート部材の螺旋階段状側部を見出し（インデックス）として使用でき、各扇状シート部材の色彩を変えれば、螺旋階段状側部がカラフルに表れ、広告効果を高めて商品価値を向上できる。
また、開閉時に各扇状シート部材の連結部が前面側に露出することなく、閉じるとスリットが扇状シート部材で隠されるので体裁が良い。各扇状シート部材連結部がスリットから露出しないので、各扇状シート部材の広告を表示する印刷面を広くとることができる。
【考案を実施するための最良の形態】
【００１９】
この考案の扇子状広告媒体の実施形態を図面に基づいて説明する。図１は、この考案の扇子状広告媒体を閉じた状態の正面図、図２は、扇子状広告媒体を閉じた状態の拡大正面図、図３は、扇子状広告媒体を閉じた状態の背面図、図４は、扇子状広告媒体を開いた状態の正面図、図５は、扇子状広告媒体を開いた状態の背面図、図６は、扇子状広告媒体を閉じた状態の要部拡大背面図、図７は、扇子状広告媒体を開いた状態の要部斜視図、図８は、扇状シート部材の連結部とスリット部分の拡大縦断面図、図９は、この考案の扇子状広告媒体を分解したもので、（イ）最上層の扇子シート部材１１の正面図、（ロ）扇子状シート部材１２の正面図、（ハ）扇子状シート部材１３の正面図、（ニ）扇子状シート部材１４の正面図、（ホ）扇子状シート部材１５の正面図、（ヘ）最下層の扇子シート部材１６の正面図を示す。
【００２０】
図１ないし図９おいて、この考案の扇子状広告媒体は、表面に広告を表示可能な薄板状材料により形成された３枚以上の扇状シート部材１１、１２、・・１ｎと、前記３枚以上の扇状シート部材１１、１２、・・１ｎを積層状態かつ該扇状シート部材の基端部にて回動可能に軸支する軸部材１２とを備えるものである。扇状シート部材１１、１２、・・１ｎの基端部１０には円形の貫通孔１１が設けられ、軸部材１２が挿入されて扇状シート部材１１、１２、・・１ｎが回動自由に軸支されている。薄板状材料としては、厚紙等板紙、合成樹脂製のシート材等を用いる。そして、扇状シート部材には、表面に広告、図案、文章、書などを印刷、描いて表示される。また、後述の螺旋階段状側部Ｅには見出しを表示しても良い。
扇子状広告媒体を構成する扇状シート部材は少なくとも３枚以上とする。前記扇子状広告媒体は、前記扇状シート部材を５枚以上備えるのが好ましい。扇子状広告媒体の基端部１０の軸部材１２は、円形鍔付き軸部と、鍔付き軸部が密嵌されて止められる円形鍔付き筒部材とにより構成されている。また、前記軸部材の構造はこれに限られるものではない。
【００２１】
この考案の扇子状広告媒体は、前記３枚以上の扇状シート部材１１、１２、・・１ｎは、前記軸部材１２により形成される回動軸をほぼ中心とする円弧からなる外縁２を備え、さらに、前記３枚以上の扇状シート部材１１、１２、・・１ｎは、最上層扇状シート１１が最大半径Ｒ１を有し、下層に向かうに従って、扇状シートは半径が漸減するものであり、そして、最上層扇状シート部材１１を除く各扇状シート部材１２、１３、・・１ｎは、前記外縁２より所定長前記回動軸側に設けられ、かつ、一端３ａが一方の側辺１ａ付近に位置し、他端３ｂが他方の側辺１ｂ付近に位置し、前記回動軸をほぼ中心とする円弧状スリット３を備え、最下層扇状シート部材１ｎを除く各扇状シート部材１１、１２、・・１ｎ−１は、前記外縁２の一端側より延出し、かつ裏面側に折り曲げられ、さらに、接触する下層の扇状シート部材の前記円弧状スリット３内に侵入した連結部４１、・・４ｎ−１を備え、接触する各扇状シート部材は、前記外縁側にて前記連結部４１、・・４ｎ−１により連結されており、かつ、接触する各扇状シート部材１１、１２、・・１ｎは、前記連結部４１、・・４ｎ−１が、下層の前記扇状シート部材の前記連結部もしくは前記円弧状スリットの一端３ａに当接する閉じた状態から、前記連結部が、下層の前記扇状シート部材の前記円弧状スリットの他端３ｂに当接する状態まで、広がることおよび前記閉じた状態に戻すことが可能である。符号１１は最上層の扇状シート部材、１ｎは最下層の扇状シート部材、１ｎ−１は最下層の扇状シート部材の１枚前の扇状シート部材であり、４１は最上層の扇状シート部材に設けた連結部、４ｎ−１は、最下層の扇状シート部材の１枚前の扇状シート部材設けた連結部である。
この構造とすることにより、各扇状シート部材の表面に広告を表示した扇子状広告媒体を斬新として広告効果高めて商品価値を向上できる。また、扇状シート部材の前記連結部を下層の前記扇状シート部材のスリットに侵入させてスリットの範囲でスライド可能とし、簡単に組み立てできる。
【００２２】
前記扇子状広告媒体は、前記閉じた状態において、各扇状シート部材１１、・・１ｎの一方の側辺部により形成される螺旋階段状側部Ｅを備える。
前記扇子状広告媒体は、前記閉じた状態において、各扇状シート部材１１、・・１ｎの一方の側辺１ａにより形成される螺旋階段状側部Ｅを備える。
前記扇子状広告媒体は、前記閉じた状態において、各扇状シート部材１１、・・１ｎの他方の側辺１ｂは、ほぼ揃った状態Ｆとなっている。
従って、各扇状シート部材の連結部が下層の扇状シート部材の連結部と当接して閉じたとき、各扇状シート部材の側辺１ｂが揃った状態Ｆとなりかつ側辺１ａの螺旋階段状側部Ｅは、基端部１０の軸部材１２を中心として同じ幅ずつ扇状に露出した状態で止められる（図１、図２参照）。
各扇状シート部材の連結部が下層の扇状シート部材の連結部と当接して閉じたとき、一側片を揃えた状態となりかつ他側辺の螺旋階段状側部は同じ幅ずつ露出した状態で止められる。従って、閉じた状態の扇子の形態が斬新であり、開くときに螺旋階段状側部が掴みやすく、使い勝手が良い。そして、螺旋階段状側部を見出し（インデックス）として使用でき、各扇状シート部材の色彩を変えれば、螺旋階段状側部がカラフルに表れ、広告効果を高めて商品価値を向上できる。
前記扇子状広告媒体は、前記閉じた状態において螺旋階段状とするために前記扇状シート部材を５枚以上備えるのが好ましい。
【００２３】
図に示す実施形態では、扇子状広告媒体は６枚の扇状シート部材で構成されている。
図１ないし図９（イ）ないし（ヘ）において、扇状シート部材が６枚の場合で説明する。この場合、ｎ＝６で、最下層の扇状シート部材１ｎは１６、その前面の扇状シート部材１ｎ−１は１５となる。
そして、扇子状広告媒体における扇状シート部材１１、１２、１３、１４、１５、１６は、外縁２は基端部の支点を中心とする同心円であり、各扇状シート部材の軸の支点から外縁２までの半径がＲ１、Ｒ２、Ｒ３、Ｒ４、Ｒ５、Ｒ６とされる。最上層扇状シート１１が最大半径Ｒ１を有し、下層に向かうに従って、扇状シート１２、１３、１４、１５、１６は、半径Ｒ２、Ｒ３、Ｒ４、Ｒ５、Ｒ６が順次所定長さずつ漸減する。最下層の扇状シート部材１６が、最小半径Ｒ６を有する。
そして、この実施例の扇子状広告媒体では、扇状シート部材１１、１２、１３、１４、１５、１６は、最上層扇状シート１１が最小中心角θ１を有し、下層に向かうに従って、扇状シート１２、１３、１４、１５、１６は、中心角θ２、θ３、θ４、θ５、θ６が徐々に所定角度θａずつ大きくなっている。よって、この実施例の扇子状広告媒体では、最下層の扇状シート部材１６が、最小半径Ｒ６、最大の中心角θ６を有する。なお、扇状シート１１の最小中心角θ１、θ２、θ３、θ４、θ５、θ６はすべて同じ角度であってもよく、また、それぞれが適宜角度が異なるものであってもよい。
扇状シート部材１１、・・１６の半径Ｒ１、・・Ｒ６は、前面側となる扇状シート部材が裏面側となる扇状シート部材に対して連結部４１、４２、４３、４４、４５を被せて回動できるように最上層の扇状シート部材１１が最大半径Ｒ1とされ、下層に向かうに従って、扇状シート部材の半径Ｒ２、・・Ｒ６が順次所定長さずつ漸減される。また、最上層の扇状シート部材１１の中心角θ１が最小とされ、最下層に向かうに従って、扇状シート部材１２、・・１６の中心角θ２、・・θ６が順次角度θａずつ大きく設けられる。扇状シート部材１２、・・１６の中心角θ２、・・θ６が角度θａずつ大きく設けられて、扇状シート部材１１、・・１６の最上層の扇状シート部材から最下層の扇状シート部材に向かうに従って、シート部材の上端の幅Ｂ１、Ｂ２、Ｂ３、Ｂ４、Ｂ５、Ｂ６が後述のほぼ連結部４１、・・４５の幅に相当する分ずつ順次広く設けられる。
【００２４】
前記最上層扇状シート１１を除く、扇状シート部材１２、１３、１４、１５、１６には同一の半径Ｒで同心円上にスリット３２、３３、３４、３５、３６が設けられる。
すべての前記円弧状スリット３２、・・３６は、前記回動軸をほぼ中心とする半径Ｒの同一円上に実質的に位置し、前記円弧状スリット３２、・・３６の前記扇状シート部材の外縁２からの離間距離Ｄ２、Ｄ３、Ｄ４、Ｄ５、Ｄ６は、前記扇状シート部材が下層となるに従って、漸減するものである。すなわち、扇状シート部材１２、・・１６の外縁２と前記スリットとの間の上部部分Ａの半径方向の長さは、順次短く設けられる。最上層扇状シート部材１１を除く各扇状シート部材１２、・・１６に設けられた前記円弧状スリット３２、・・３６は、下層に向かうに従って前記連結部の幅にほぼ相当する分ずつ長く設けられる。
【００２５】
最下層扇状シート部材１６を除く各扇状シート部材１１、・・１５に設けられた前記連結部４１、４２、４３、４４、４５は、ほぼ同じ幅を備え、最下層扇状シート部材を除く各扇状シート部材１１、・・１６は、下層に向かうに従って扇状シート部材の上端の幅Ｂ１、・・Ｂ６が、前記連結部の幅にほぼ相当する分ずつ広くなっている。スリット３２、・・３６も同様にほぼ連結部４１、・・４５の幅に相当する分ずつ順次長く設けられている。
図２において、扇子状広告媒体を閉じるとき、最上層から最下層までの扇状シート部材１１、・・１６の右側辺１ｂは揃った状態Ｆとなり、左側辺１ａは所定角度θａずつずれた状態で止められ、螺旋階段状側部Ｅが構成される。螺旋階段状側部Ｅは各扇状シート部材の側辺の上端がほぼ連結部の幅に相当する分ずつずらされた状態とされる。従って、閉じた状態の扇子の形態が片側が揃い、他側が螺旋階段状となるので斬新であり、螺旋階段状側部Ｅを見出しとして利用でき、また各扇状シート部材の色彩を変えれば、螺旋階段状側部Ｅが異なる色彩に表示できるので、広告効果を高めて商品価値を向上できる。閉じた状態で一側が螺旋階段状側部Ｅとなっているので、開くときに螺旋階段状側部Ｅを手で掴みやすく、使い勝手が良い。
【００２６】
各扇状シート部材の幅が下層に向かうに従って扇面が広くなるので、前記各扇状シート部材１１、・・１６を開いたとき、扇面の幅が段々広くなるのが斬新であり、その各扇面の幅が異なることを利用して広告、絵画、書等を印刷すれば、広告効果を一層高めることができ、商品価値を向上できる。
また、前記各扇状シート部材１２、・・１６には、前記円弧状スリット３２、・・３６が同一半径の同心円上に設けられるので、例えば、円弧状スリットの内側ぎりぎりまで広告、絵画、書等を印刷することができる。また、各扇状シート部材の前面側に、円弧状スリットから連結部が露出することはないので、印刷する扇面が連結部で隠されることがない。
【００２７】
最下層扇状シート部材１６を除く各扇状シート部材１１、・・１５に設けられた前記連結部４１、４２、４３、４４、４５は、ほぼ同じ幅を備え、最上層扇状シート部材１１を除く各扇状シート部材１２、・・１６に設けられた円弧状スリット３２、・・３６の他端３ｂと該扇状シート部材１２、・・１６の他方の側辺１ｂ間の距離Ｃは、連結部４１、・・４５の幅とほぼ同じものとなっており、前記連結部４１、・・４５は、前記各扇状シート部材の外縁２の一端側に折り目５を介して半径方向に延長して帯状に設けられたものであり、該連結部は、前記折り目５より折り曲げられて、下層の前記扇状シート部材の裏面側より、前記円弧状スリット内に侵入しているものである。前記各扇状シート部材１２、・・１６の側辺１ａ、１ｂとスリット３２、・・３６との間の距離Ｃは、前記連結部の幅とほぼ同じに設けられる。
【００２８】
前記連結部４１、４２、４３、４４、４５は、前記各扇状シート部材の外縁２の一端側に第１の折り目５を介して半径方向に延長して帯状に設けられたものであり、該連結部４１、・・４５は、前記第１の折り目５より折り曲げられて、下層の前記扇状シート部材の裏面側より、前記円弧状スリット内に侵入しているものである。すなわち、図１及び図２の正面図で外縁２の左端側で裏面側の扇状シート部材の側辺とスリット３との距離Ｃの上方位置に折り目５を介して設けられ、前記折り目５より折り曲げられて、裏面側となる扇状シート部材の上面を越えて裏側より、前記円弧状スリット内に侵入している。
前記連結部４１、・・４５がそれぞれ裏面となる扇状シート部材の前記スリットに差し込まれて連結され、円弧状スリット３２、・・３６の範囲でスライド可能に設けられる。
前記連結部４１、・・４５は、少なくとも前記扇状シート部材１２、・・１６の外縁とスリット３２、・・３６との間の上部部分Ａの半径方向の長さより長く設けられる。前記連結部４１、・・４５の長さは、上部部分Ａの半径方向の長さが漸次短くなるのに合わせて、最上層扇状シート部材より下層に向かうに従って、漸次短い長さとされる。
【００２９】
前記連結部４１、・・４５は、前記各扇状シート部材の外縁２の一端側に第１の折り目５を介して半径方向に延長して帯状に設けられたものであり、該連結部４１、・・４５は、前記第１の折り目５より折り曲げられて、下層の前記扇状シート部材の裏面側より、前記円弧状スリット内に侵入しているものであり、さらに、前記連結部は、前記スリット内に侵入する部分に設けられた第２の折り目６により曲げられることにより、前記連結部の先端部が、前記下層の扇状シート部材の前記スリット形成部より上部部分Ａを挟むものとなっている。従って、連結部により前記上部部分Ａが挟まれた状態で円滑にスライドでき、連結部がスリットより外れることがない。
連結部４１、・・４５は各扇状シート部材の外縁の一端側で前記距離Ｃの上方に折り目５を介して設けられ、各扇状シート部材の裏面に折り曲げて、裏面となる扇状シート部材に被せてスリットに差し込むので、連結部が前面側にに露出することがない。扇子状広告媒体を閉じたとき、開閉側の所定角度ずつずらせて重ねられる部分にスリットと連結部が露出することなく、また開くとき、前面からスリットは見えるが連結部は露出しないようにしてある。
【００３０】
前記連結部４１、・・４５は、前記扇状シート部材の外縁２と前記スリットとの間の上部部分Ａの長さより長い位置に設けた折り目６を介して前記上部部分Ａを挟む折り返し片７を設けたものである。前記連結部の折り目５と折り目６との間の長さは、前記スリットと扇状シート部材１２、・・１６の外縁２との間の上部部分Ａの半径方向の長さＤ２、・・Ｄ６より長く設け、連結部を裏面となる扇状シート部材に被せてスリットに差し込んだ部分と折り目６で折り返した折り返し片７との間に上部部分Ａが挟まれた状態で円滑にスライドするように設けられる。
前記連結部４１、・・４５は、前記上部部分Ａの半径方向の長さのほぼ２倍の長さとして、折り目６で折り曲げて上部部分Ａを挟むようにするのが好ましい。前記連結部は例えば先細に形成してもよい。
前記連結部４１、・・４５は折り目５で折り曲げる部分と扇状シート部材の外縁２との間に若干の余裕を設け、連結部が扇状シート部材の外縁に沿って円滑に移動できるようにする。連結部の折り目５と扇状シート部材の外縁２との間は約０．１ｃｍないし０．３ｃｍとするのが好ましい。
【００３１】
各扇状シート部材が閉じられると、図３の背面図で、前面側となる扇状シート部材の連結部４１、・・４５が裏面側となる扇状シート部材のスリットの端部に止められるとともに各連結部４１、・・４５が順に当接されて止められ、扇状シート部材の一側辺１ａが揃えられ、かつ他側辺１ｂが所定角度ずつずらせて重ねられた状態で止められる。
各扇状シート部材は連結部が円弧状スリットに移動可能に確実に連結でき、各扇子状シート部材の組み立てが容易である。また、開閉時に各扇状シート部材の連結部が円弧状スリットより前面側に露出することなく、閉じると下層となる扇状シート部材の円弧状スリットがそれぞれ上層となる扇状シート部材で隠されるので体裁が良い。各扇状シート部材の連結部がスリットから露出しないので、円弧状スリットのぎりぎりまで各扇状シート部材の広告を表示する印刷面を広くとることができる。
前記扇子状広告媒体を裏面から見たとき、扇状シート部材の外縁に被せてスリットに差し込んだ連結部が露出することになるので、スリットの位置は、扇状シート部材の外縁になるべく近い位置に設け、スリットに差し込む連結部が長くならないようにするのが好ましい。スリットの位置が、扇状シート部材の外縁２に近すぎるとスリットが破損しやすくなるので、スリットと外縁との間隔を、約１ｃｍ以上あけるのが好ましい。
【００３２】
図７および図８に示すように、各連結部４１、・・４５は、折り目５より折り曲げて前記扇状シート部材１２、・・１６の外縁の被せ、先端部が下層となる扇状シート部材の裏面側よりスリットに差し込まれ、スリットに差し込んだ連結部の下部を折り目６で前面側に折り返し、折り返し片７の先端が折り目５の内面近くに臨ませられる。従って、連結部４１、・・４５の基部と折り返し片７で上部部分Ａを挟むようにして、連結部がスリットに沿って円滑に移動可能とされ、かつ連結部がスリットから抜脱するのを防止する。
各扇状シート部材の連結部４１、・・４５は、扇子状広告媒体を閉じるとき、図３、図６に示すように各スリット３２、・・３６の端にあって、隣り合う連結部が突き合わせられ閉じられ、図２に示すように扇状シート部材１１の右側辺に合わせると、左側辺は所定角度θａずつずれた状態で止められる。
扇子状広告媒体を開閉する際に、連結部が前面側に露出することなくスリットに沿って相対移動できるので、前面側にはスリットが出るだけで前面から見るとき体裁が良い。連結部で扇状シート部材の前面の印刷面を隠すことがない。
【００３３】
表面に広告を表示可能な薄板状材料により形成された５枚以上の扇状シート部材１１、・・１６と、前記５枚以上の扇状シート部材を積層状態かつ該扇状シート部材の基端部にて回動可能に保持する軸部材１２とを備える扇子状広告媒体であって、
前記５枚以上の扇状シート部材１１、・・１６は、前記軸部材１２により形成される回動軸をほぼ中心とする円弧からなる外縁２を備え、さらに、前記５枚以上の扇状シート部材は、下層に向かうに従って、扇状シートは半径が漸減するものであり、そして、最上層扇状シート部材１１を除く各扇状シート部材１２、・・１６は、前記外縁２より所定長前記回動軸側に設けられ、かつ、一端３ａが一方の側辺１ａ付近に位置し、他端３ｂが他方の側辺１ｂ付近に位置し、前記回動軸をほぼ中心とする円弧状スリット３２、・・３６を備え、最下層扇状シート部材１６を除く各扇状シート部材１１、・・１５は、前記外縁の一端側より延出し、かつ裏面側に折り曲げられ、さらに、接触する下層の扇状シート部材の前記円弧状スリット内に侵入した連結部を備え、接触する各扇状シート部材は、前記外縁側にて前記連結部により連結されており、
かつ、接触する各扇状シート部材１１、・・１６は、前記連結部が、下層の前記扇状シート部材の前記連結部もしくは前記円弧状スリットの一端３ａに当接する閉じた状態から、前記連結部が、下層の前記扇状シート部材の前記円弧状スリットの他端３ｂに当接する状態まで、広がることおよび前記閉じた状態に戻すことが可能であり、かつ、前記扇子状広告媒体は、前記閉じた状態において、各扇状シート部材の一方の側辺１ａにより形成される螺旋階段状側部Ｅを備え、さらに、前記扇子状広告媒体は、前記閉じた状態において、各扇状シート部材の他方の側辺１ｂは、ほぼ揃った状態Ｆとなっている。
【００３４】
この構造とすることにより、扇子状広告媒体の開閉構造が斬新であり、各扇状シート部材の扇面を利用して広告表示が可能である。また、扇状シート部材の前記連結部を下層の前記扇状シート部材のスリットに侵入させてスリットの範囲でスライド可能とし、簡単に組み立てできる。開くときには螺旋階段状側部を掴んで開きやすい。各扇状シート部材の螺旋階段状側部を見出し（インデックス）として使用でき、各扇状シート部材の色彩を変えれば、螺旋階段状側部がカラフルに表れ、広告効果を高めて商品価値を向上できる。
また、開閉時に各扇状シート部材の連結部が前面側に露出することなく、閉じるとスリットが扇状シート部材で隠されるので体裁が良い。各扇状シート部材連結部がスリットから露出しないので、各扇状シート部材の広告を表示する印刷面を広くとることができる。
【００３５】
表面に広告を表示可能な薄板状材料により形成された４枚以上の扇状シート部材と、前記４枚以上の扇状シート部材を積層状態かつ該扇状シート部材の基端部にて回動可能に保持する軸部材１２とを備える扇子状広告媒体であって、
前記４枚以上の扇状シート部材１１、・・１６は、前記軸部材により形成される回動軸をほぼ中心とする円弧からなる外縁２を備え、さらに、前記４枚以上の扇状シート部材１１、・・１６は、最上層扇状シート１１が最大半径を有し、下層に向かうに従って、扇状シートは半径が漸減するものであり、そして、最上層扇状シート部材１１を除く各扇状シート部材１２、・・１６は、前記外縁２より所定長前記回動軸側に設けられ、かつ、一端３ａが一方の側辺１ａ付近に位置し、他端３ｂが他方の側辺１ｂ付近に位置し、前記回動軸をほぼ中心とする円弧状スリット１２、・・１６を備え、最下層扇状シート部材１６を除く各扇状シート部材１１、・・１５は、前記外縁２の一端側より延出し、かつ裏面側に折り曲げられ、さらに、接触する下層の扇状シート部材の前記円弧状スリット内に侵入した連結部３１、・・３５を備え、接触する各扇状シート部材は、前記外縁側にて前記連結部により連結されており、
かつ、接触する各扇状シート部材は、前記連結部４１、・・４５が、下層の前記扇状シート部材の前記連結部もしくは前記円弧状スリット３２、・・３６の一端３ａに当接する閉じた状態から、前記連結部４１、・・４５が、下層の前記扇状シート部材の前記円弧状スリットの他端３ｂに当接する状態まで、広がることおよび前記閉じた状態に戻すことが可能であり、かつ、前記扇子状広告媒体は、前記閉じた状態において、各扇状シート部材の一方の側辺１ａにより形成される螺旋階段状側部Ｅを備え、さらに、
前記連結部４１、・・４５は、前記各扇状シート部材の外縁の一端側に第１の折り目５を介して半径方向に延長して帯状に設けられたものであり、該連結部は、前記第１の折り目５より折り曲げられて、下層の前記扇状シート部材の裏面側より、前記円弧状スリット内３２、・・３６に侵入しているものであり、さらに、前記連結部４１、・・４５は、前記スリット内に侵入する部分に設けられた第２の折り目６により曲げられることにより、前記連結部の先端の折り返し片７が、前記下層の扇状シート部材の前記スリット形成部より上部部分Ａを挟むものとなっている。
【００３６】
上記実施形態においても、前記最上層扇状シート１１は、最小中心角を有し、下層に向かうに従って、前記扇状シートは、中心角が徐々に大きくなるものである。
前記扇状シート部材は、下層に向かうに従って、扇状シートは半径が順次ほぼ所定長さずつ小さいものとなるとともに、順次ほぼ所定角度ずつ中心角が大きくなるものである。
最下層扇状シート部材１６を除く各扇状シート部材に設けられた前記連結部は、ほぼ同じ幅を備え、最下層扇状シート部材を除く各扇状シート部材は、下層に向かうに従って扇状シート部材の上端の幅が、前記連結部の幅にほぼ相当する分ずつ広くなっている。
最上層扇状シート部材１１を除く各扇状シート部材に設けられた前記円弧状スリットは、下層に向かうに従って前記連結部の幅にほぼ相当する分ずつ長く設けられる。  
最下層扇状シート部材１６を除く各扇状シート部材に設けられた前記連結部は、ほぼ同じ幅を備え、最上層扇状シート部材１１を除く各扇状シート部材に設けられた円弧状スリットの他端と該扇状シート部材の他方の側辺間の距離は、前記連結部の幅とほぼ同じものとなっている前記扇状シート部材は、下層に向かうに従って、扇状シートは半径が順次ほぼ所定長さずつ小さいものとなるとともに、順次ほぼ所定角度ずつ中心角が大きくなるものである。
【００３７】
この構造とすることにより、扇子状広告媒体の開閉構造が斬新であり、各扇状シート部材の扇面を利用して広告表示が可能である。また、扇状シート部材の前記連結部を下層の前記扇状シート部材のスリットに侵入させてスリットの範囲でスライド可能とし、簡単に組み立てできる。開くときには螺旋階段状側部を掴んで開きやすい。各扇状シート部材の螺旋階段状側部を見出し（インデックス）として使用でき、各扇状シート部材の色彩を変えれば、螺旋階段状側部がカラフルに表れ、広告効果を高めて商品価値を向上できる。
また、開閉時に各扇状シート部材の連結部が前面側に露出することなく、閉じるとスリットが扇状シート部材で隠されるので体裁が良い。各扇状シート部材連結部がスリットから露出しないので、各扇状シート部材の広告を表示する印刷面を広くとることができる。
さらに、連結部がスリットに確実に差し込こまれ、前記上部部分が挟まれた状態で円滑にスライドでき、外れることがない。
【００３８】
扇子状広告媒体の組み立て方は、各扇状シート部材１１、・・１６は、前面となる扇状シート部材の連結部を折り目５より折り曲げて、裏面となる扇状シート部材の外縁に被せて、裏側よりスリットに差し込み、スリットに差し込み後、前面となる扇状シート部材と裏面となる扇状シート部材との間で、連結部４１、・・４５の折り返し片７を折り目６で前面に折り返す。また、各扇状シート部材１１、・・１６を基端部１０に設けた貫通孔１１に前面より鍔付き軸部を裏面の鍔付き筒体に嵌合して軸部材１２を構成し、前記各扇状シート部材１１、・・１６を回動可能に備える。
【実施例】
【００３９】
図９に示す各扇状シート部材の実施例の場合の扇状シート部材の中心角、半径、上端の幅、スリットの長さ、連結部の幅および長さ等の一例を示す。この実施例の扇状シート部材１１、・・１ｎは６枚（ｎ＝６）で構成されている。最下層の扇状シート部材１ｎは１６、その前の扇状シート部材１ｎ−１は１５となる。
図９の（イ）に示す扇状シート部材１１は、中心角θ１＝１７°、半径Ｒ１＝１７．３ｃｍ、上端の幅Ｂ１＝７．１ｃｍである。スリットは設けられない。連結部４１は幅０．９ｃｍで、長さＨ１＝４．８ｃｍである。
（ロ）に示す扇状シート部材１２は、中心角θ２＝２０．４°、半径Ｒ２＝１７．１ｃｍ、上端の幅Ｂ２＝７．９ｃｍ、スリットの長さＬ２＝５．１ｃｍ、スリットと外縁の半径方向の長さＨは約１．６ｃｍである。連結部４２は幅０．９ｃｍで、長さＬ２＝４．４ｃｍである。
（ハ）に示す扇状シート部材１３の中心角θ３＝２３．８°、半径Ｒ３＝１６．９ｃｍ、上端の幅Ｂ３＝８．８ｃｍ、スリットの長さＬ３＝６．０ｃｍ、スリットと外縁の間の板状部分Ａの半径方向の長さＤ３は約１．４５ｃｍである。連結部４３は幅０．９ｃｍで、長さＨ３＝４．０ｃｍである。
（ニ）に示す扇状シート部材１４は、中心角θ４＝２７．２°、半径Ｒ４＝１６．７ｃｍ、上端の幅Ｂ４＝９．６ｃｍ、スリットの長さＬ４＝６．８ｃｍ、スリットと外縁の間の板状部分Ａの半径方向の長さＤ３は約１．３ｃｍである。連結部４４は幅０．９ｃｍで、長さＨ４＝３．６ｃｍである。
（ホ）に示す扇状シート部材１５は、中心角θ５＝３０．６°、半径Ｒ５＝１６．５ｃｍ、上端の幅Ｂ５＝１０．５ｃｍ、スリットの長さＬ５＝７．７ｃｍ、スリットと外縁の間の板状部分Ａの半径方向の長さＤ２は約１．１５ｃｍである。連結部４５は幅０．９ｃｍで、長さＨ５＝３．２ｃｍである。
（ヘ）に示す扇状シート部材１６は、中心角θ６＝３４°、半径Ｒ６＝１６．３ｃｍ、上端の幅Ｂ６＝約１１ｃｍ、スリットの長さＬ６＝８．５ｃｍ、スリットと外縁の間の板状部分Ａの半径方向の長さＤ１は約１ｃｍである。扇状シート部材１６には、連結部は設けない。
（イ）ないし（ホ）において、前記各スリットと両側の距離Ｃは、連結部の幅より僅かに広くし、約１ｃｍとしてある。
前記複数枚の扇状シート部材は、６枚とした場合を示したが、これに限られるものではない。また、最下層の扇状シート部材１１の最大の中心角θ１を約３４°とした場合を示したが、これに限られるものでなく、扇状シート部材１１の最大の中心角θ１は好ましくは、３０°ないし６０°であり、それ以上、或いはそれ以下の角度とすることも可能である。前記扇状シート部材の中心角、半径、上端の幅、スリットの長さ、連結部の幅および長さ等は上記のものに限定されるものでない。
【００４０】
この考案は上記実施形態に限定されるものではなく、この考案の要旨を逸脱しない範囲で、種々の形態を実施しうるものである。前記各扇状シート部材は、両辺を直線とした形状とした場合で、説明したが、この形状に限られるものでなく、両側面の形状を変えることもできる。また、実施形態では、各扇状シート部材は、最上層扇状シートが最大半径を有し、下層に向かうに従って、扇状シートは半径が漸減するものであり、下層に向かうに従って、扇状シートは半径が順次ほぼ所定長さずつ小さいものとなるとともに、順次ほぼ所定角度ずつ中心角が大きくなり、円弧状スリットは、前記回動軸をほぼ中心とする同一円上に実質的に位置させ、一側辺に螺旋階段状側部を形成し、他側辺を揃える場合で説明したが、これに限られるものではなく、例えば、前記各扇状シート部材において、中心角を同じとして両側辺に螺旋階段状側部を形成することも可能である。
【図面の簡単な説明】
【００４１】
【図１】図１は、この考案の扇子状広告媒体を閉じた状態の正面図である。
【図２】図２は、扇子状広告媒体を閉じた状態の拡大正面図である。
【図３】図３は、扇子状広告媒体を閉じた状態の背面図である。
【図４】図４は、扇子状広告媒体を開いた状態の正面図である。
【図５】図５は、扇子状広告媒体を開いた状態の背面図である。
【図６】図６は、扇子状広告媒体を閉じた状態の要部拡大背面図である。
【図７】図７は、扇子状広告媒体を開いた状態の要部斜視図である。
【図８】図８は、扇状シート部材の連結部とスリット部分の拡大縦断面図である。
【図９】図９は、この考案の扇子状広告媒体を分解したもので、（イ）最上層の扇子シート部材１１の正面図 、（ロ）扇子状シート部材１２の正面図 、（ハ）扇子状シート部材１３の正面図 、（ニ）扇子状シート部材１４の正面図、（ホ）扇子状シート部材１５の正面図、（ヘ）最下層の扇子シート部材１６の正面図である。
【符号の説明】
【００４２】
１１  最上層の扇状シート部材
１２  扇状シート部材
１３  扇状シート部材
１４  扇状シート部材
１５ （１ｎ−１） 扇状シート部材
１６  （１ｎ） 最下層の扇状シート部材    
２  外縁
３  スリット
３２  スリット
３３  スリット
３４  スリット
３５  スリット
３６  スリット
４１  連結部
４２  連結部
４３  連結部
４４  連結部
４５  連結部 
５  折り目
６  折り目
７  折り返し片
１０  基端部
１２  軸部材
Ａ  上部部分
Ｃ  側辺とスリットとの距離
Ｅ  螺旋階段状側部
Ｆ  揃った状態
【図１】
0003136379.tif 000003
【図２】
0003136379.tif 000004
【図３】
0003136379.tif 000005
【図４】
0003136379.tif 000006
【図５】
0003136379.tif 000007
【図６】
0003136379.tif 000008
【図７】
0003136379.tif 000009
【図８】
0003136379.tif 000010
【図９】
0003136379.tif 000011